【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
ワイヤレス通信装置を同期する方法であって、
１つまたは複数の同期メッセージを受信すること、各同期メッセージはタイミング情報とクラスタ識別子とを有し、前記タイミング情報はアンカータイミング情報を備え、前記クラスタ識別子は前記装置のクラスタ識別子と同じ値である、と、
送信ノードが最後にアンカータイミング情報を更新した時間値と、前記装置のために保持されている時間値との間の差が、閾値より大きいかどうかを決定することと、
前記受信された１つまたは複数の同期メッセージ中の前記タイミング情報に基づいて、前記ワイヤレス装置の時間値を選択的に更新すること、前記ワイヤレス通信装置の前記時間値を選択的に更新することは、
他の１つまたは複数の受信された同期メッセージのマスター優先値よりも大きなマスター優先値を伴う受信された同期メッセージの時間値へと、前記時間値を更新することと、
前記１つまたは複数の受信された同期メッセージの最新のアンカータイミング情報を伴う受信された同期メッセージの前記タイミング情報中の時間値へと、前記時間値を更新することと
を備える、と、
前記差が前記閾値を超える場合、前記受信された同期メッセージを廃棄することと
を備える、方法。
【請求項２】
選択的に更新することは、
受信された同期メッセージの前記タイミング情報中の時間値と、前記他の１つまたは複数の受信された同期メッセージの前記タイミング情報中の平均の時間値との間の差が、閾値より大きいかどうかを決定することと、
前記差が前記閾値を超える場合、前記受信された同期メッセージを廃棄することと
を備える、請求項１に記載の方法。
【請求項３】
選択的に更新することは、２つ以上の受信された同期メッセージが同じマスター優先値を有するとき、前記１つまたは複数の受信された同期メッセージのデバイス識別子に基づいて前記時間値を更新することをさらに備える、
請求項１に記載の方法。
【請求項４】
前記デバイス識別子は、媒体アクセス制御アドレスを備える、
請求項３に記載の方法。
【請求項５】
選択的に更新することは、２つ以上の受信された同期メッセージが同じマスター優先値を有するとき、前記他の１つまたは複数の受信された同期メッセージの時間値よりも大きな時間値を伴う受信された同期メッセージの時間値へと、前記時間値を更新することをさらに備える、
請求項１に記載の方法。
【請求項６】
前記ワイヤレス通信装置の前記時間値を選択的に更新することは、前記１つまたは複数の受信された同期メッセージの前記タイミング情報の最大の時間値へと、前記時間値を更新することを備える、
請求項１に記載の方法。
【請求項７】
前記ワイヤレス通信装置の前記時間値を選択的に更新することは、前記１つまたは複数の受信された同期メッセージの前記タイミング情報の平均の時間値、最小の時間値、または時間値の中央値の１つへと、前記時間値を更新することを備える、
請求項１に記載の方法。
【請求項８】
前記装置がアンカーノードからタイミング情報を受信したかどうかを決定することをさらに備え、前記ワイヤレス通信装置の前記時間値を選択的に更新することは、前記装置が前記アンカーノードからタイミング情報を受信していないとき、前記１つまたは複数の受信された同期メッセージの前記タイミング情報の最大の時間値へと、前記時間値を更新することを備える、
請求項１に記載の方法。
【請求項９】
ワイヤレスネットワークの同期のために構成されるワイヤレス通信装置であって、
１つまたは複数の同期メッセージを受信するための手段、各同期メッセージは、タイミング情報とクラスタ識別子とを有し、前記タイミング情報は、アンカータイミング情報を備え、前記クラスタ識別子は、前記装置のクラスタ識別子と同じ値である、と、
送信ノードが最後にアンカータイミング情報を更新した時間値と、前記装置のために保持されている時間値との間の差が、閾値より大きいかどうかを決定するための手段と、
前記受信された１つまたは複数の同期メッセージ中の前記タイミング情報に基づいて、前記ワイヤレス装置の時間値を選択的に更新するための手段、前記ワイヤレス通信装置の前記時間値を選択的に更新するための手段は、
他の１つまたは複数の受信された同期メッセージのマスター優先値よりも大きなマスター優先値を伴う受信された同期メッセージの時間値へと、前記時間値を更新し、
前記１つまたは複数の受信された同期メッセージの最新のアンカータイミング情報を伴う受信された同期メッセージの前記タイミング情報中の時間値へと、前記時間値を更新する
ように構成される、と、
前記差が前記閾値を超える場合、前記受信された同期メッセージを廃棄するための手段と
を備える、ワイヤレス通信装置。
【請求項１０】
選択的に更新するための手段は、
受信された同期メッセージの前記タイミング情報中の時間値と、前記他の１つまたは複数の受信された同期メッセージの前記タイミング情報中の平均の時間値との間の差が、閾値より大きいかどうかを決定し、
前記差が前記閾値を超える場合、前記受信された同期メッセージを廃棄する
ことによって、前記時間値を選択的に更新するように構成される、
請求項９に記載の装置。
【請求項１１】
選択的に更新するための手段は、前記１つまたは複数の受信された同期メッセージのデバイス識別子に基づいて前記時間値を更新することによって、前記時間値を選択的に更新するように構成される、
請求項２９に記載の装置。
【請求項１２】
前記デバイス識別子は、媒体アクセス制御アドレスを備える、
請求項１１に記載の装置。
【請求項１３】
選択的に更新するための手段は、前記１つまたは複数の受信された同期メッセージの前記タイミング情報の最大の時間値へと、前記時間値を更新することによって、前記時間値を選択的に更新するように構成される、
請求項９に記載の装置。
【請求項１４】
受信するための手段は受信機によって提供され、決定するための手段、選択的に更新するための手段、および廃棄するための手段は、プロセッサによって提供される、
請求項９に記載の装置。
【請求項１５】
請求項１乃至８のうちのいずれか１項に記載の方法のすべてのステップを実施するようにコンピュータによって実行可能であるプログラム命令を備える、
コンピュータプログラム。
【手続補正２】
【補正対象書類名】明細書
【補正対象項目名】０１７９
【補正方法】変更
【補正の内容】
【０１７９】
[0198]同様に、動作は特定の順序で図面に示されているが、これは、望ましい結果を達成するために、そのような動作が、示される特定の順序でまたは順番に実行されること、あるいはすべての図示の動作が実行されることが必要であると理解されるべきでない。特定の状況では、マルチタスキングおよび並列処理が有利であり得る。その上、上で説明された実装形態の様々なシステムコンポーネントの分離は、すべての実装形態においてそのような分離を必要とするものとして理解されるべきではなく、説明されるプログラムコンポーネントおよびシステムは、一般に、単一のソフトウェア製品に一体化されてよく、または複数のソフトウェア製品にパッケージングされてよいことを理解されたい。加えて、他の実装形態も、以下の特許請求の範囲内に含まれる。いくつかの場合には、特許請求の範囲に記載される行為は、異なる順序でも実行されることがあり、それでも望ましい結果を達成し得る。
以下に、本願出願の当初の特許請求の範囲に記載された発明を付記する。
［Ｃ１］
ワイヤレス通信装置を同期する方法であって、
１つまたは複数の同期メッセージを受信することと、各同期メッセージはタイミング情報とクラスタ識別子とを有し、前記タイミング情報はアンカータイミング情報を備え、前記クラスタ識別子は前記装置のクラスタ識別子と同じ値である、
受信された同期メッセージが最後にアンカータイミング情報を受信した時間値と、前記装置のために保持されている時間値との間の差が、閾値より大きいかどうかを決定することと、
前記差が前記閾値を超える場合、前記受信された同期メッセージを廃棄することとを備える、方法。
［Ｃ２］
前記受信された１つまたは複数の同期メッセージ中の前記タイミング情報に基づいて、前記ワイヤレス装置の時間値を選択的に更新することをさらに備える、
Ｃ１に記載の方法。
［Ｃ３］
選択的に更新することは、
受信された同期メッセージの前記タイミング情報中の時間値と、前記装置によって保持されている時間との間の差が、閾値より大きいかどうかを決定することと、
前記差が前記閾値を超える場合、前記受信された同期メッセージを廃棄することと
を備える、Ｃ２に記載の方法。
［Ｃ４］
選択的に更新することは、
受信された同期メッセージの前記タイミング情報中の時間値と、他の１つまたは複数の受信された同期メッセージの前記タイミング情報中の平均の時間値との間の差が、閾値より大きいかどうかを決定することと、
前記差が前記閾値を超える場合、前記受信された同期メッセージを廃棄することと
を備える、Ｃ２に記載の方法。
［Ｃ５］
前記ワイヤレス通信装置の前記時間値を選択的に更新することは、他の１つまたは複数の同期メッセージのマスター優先値よりも大きなマスター優先値を伴う受信された同期メッセージの時間値へと、前記時間値を更新することを備える、
Ｃ２に記載の方法。
［Ｃ６］
選択的に更新することは、２つ以上の受信された同期メッセージが同じマスター優先値を有するとき、前記１つまたは複数の受信された同期メッセージのデバイス識別子に基づいて前記時間値を更新することをさらに備える、
Ｃ５に記載の方法。
［Ｃ７］
前記デバイス識別子は、媒体アクセス制御アドレスを備える、
Ｃ６に記載の方法。
［Ｃ８］
選択的に更新することは、２つ以上の受信された同期メッセージが同じマスター優先値を有するとき、前記他の１つまたは複数の受信された同期メッセージの時間値よりも大きな時間値を伴う受信された同期メッセージの時間値へと、前記時間値を更新することをさらに備える、
Ｃ５に記載の方法。
［Ｃ９］
前記ワイヤレス通信装置の前記時間値を選択的に更新することは、前記１つまたは複数の受信された同期メッセージの前記タイミング情報の最大の時間値へと、前記時間値を更新することを備える、
Ｃ２に記載の方法。
［Ｃ１０］
前記ワイヤレス通信装置の前記時間値を選択的に更新することは、前記１つまたは複数の受信された同期メッセージの前記タイミング情報の平均の時間値、最小の時間値、または時間値の中央値の１つへと、前記時間値を更新することを備える、
Ｃ２に記載の方法。
［Ｃ１１］
前記通信装置の前記時間値を選択的に更新することは、前記１つまたは複数の受信された同期メッセージの最新のアンカータイミング情報を伴う受信された同期メッセージの前記タイミング情報中の時間値へと、前記時間値を更新することを備える、
Ｃ２に記載の方法。
［Ｃ１２］
前記装置がアンカーノードからタイミング情報を受信したかどうかを決定することをさらに備え、前記ワイヤレス通信装置の前記時間値を選択的に更新することは、前記装置が前記アンカーノードからタイミング情報を受信していないとき、前記１つまたは複数の受信された同期メッセージの前記タイミング情報の最大の時間値へと、前記時間値を更新することを備える、
Ｃ２に記載の方法。
［Ｃ１３］
ワイヤレスネットワークの同期のために構成されるワイヤレス通信装置であって、
１つまたは複数の同期メッセージを受信するように構成される受信機、各同期メッセージは、タイミング情報とクラスタ識別子とを有し、前記タイミング情報は、アンカータイミング情報を備え、前記クラスタ識別子は、前記装置のクラスタ識別子と同じ値である、と、
受信された同期メッセージが最後にアンカータイミング情報を受信した時間値と、プロセッサによって保持されている時間値との間の差が、閾値より大きいかどうかを決定するように構成される、前記プロセッサと
を備え、前記プロセッサは、前記差が前記閾値を超える場合、前記受信された同期メッセージを廃棄するようにさらに構成される、ワイヤレス通信装置。
［Ｃ１４］
前記プロセッサは、前記受信された１つまたは複数の同期メッセージ中の前記タイミング情報に基づいて、前記プロセッサによって保持されている時間値を選択的に更新するようにさらに構成される、Ｃ１３に記載の装置。
［Ｃ１５］
前記プロセッサは、
受信された同期メッセージの前記タイミング情報中の時間値と、前記装置によって保持されている時間との間の差が、閾値より大きいかどうかを決定し、
前記差が前記閾値を超える場合、前記受信された同期メッセージを廃棄する
ことによって、前記時間値を選択的に更新するようにさらに構成される、
Ｃ１４に記載の装置。
［Ｃ１６］
前記プロセッサは、
受信された同期メッセージの前記タイミング情報中の時間値と、他の１つまたは複数の受信された同期メッセージの前記タイミング情報中の平均の時間値との間の差が、閾値より大きいかどうかを決定し、
前記差が前記閾値を超える場合、前記受信された同期メッセージを廃棄する
ことによって、前記時間値を選択的に更新するようにさらに構成される、
Ｃ１４に記載の装置。
［Ｃ１７］
前記プロセッサは、他の１つまたは複数の同期メッセージのマスター優先値よりも大きなマスター優先値を伴う受信された同期メッセージの時間値へと、前記時間値を更新することによって、前記時間値を選択的に更新するようにさらに構成される、
Ｃ１４に記載の装置。
［Ｃ１８］
前記プロセッサは、２つ以上の受信された同期メッセージが同じマスター優先値を有するとき、前記１つまたは複数の受信された同期メッセージのデバイス識別子に基づいて前記時間値を更新することによって、前記時間値を選択的に更新するようにさらに構成される、
Ｃ１７に記載の装置。
［Ｃ１９］
前記デバイス識別子は、媒体アクセス制御アドレスを備える、
Ｃ１８に記載の装置。
［Ｃ２０］
前記プロセッサは、２つ以上の受信された同期メッセージが同じマスター優先値を有するとき、前記他の１つまたは複数の受信された同期メッセージの時間値よりも大きな時間値を伴う受信された同期メッセージの時間値へと、前記時間値を更新することによって、前記時間値を選択的に更新するようにさらに構成される、
Ｃ１７に記載の装置。
［Ｃ２１］
前記プロセッサは、前記１つまたは複数の受信された同期メッセージの前記タイミング情報の最大の時間値へと、前記時間値を更新することによって、前記時間値を選択的に更新するようにさらに構成される、
Ｃ１４に記載の装置。
［Ｃ２２］
前記プロセッサは、前記１つまたは複数の受信された同期メッセージの前記タイミング情報の平均の時間値、最小の時間値、または時間値の中央値の１つへと、前記時間値を更新することによって、前記時間値を選択的に更新するようにさらに構成される、Ｃ１４に記載の装置。
［Ｃ２３］
前記プロセッサは、最新のアンカータイミング情報を伴う前記１つまたは複数の受信された同期メッセージのうちの１つの受信された同期メッセージの前記タイミング情報中の時間値へと、前記時間値を更新することによって、前記時間値を選択的に更新するようにさらに構成される、
Ｃ１４に記載の装置。
［Ｃ２４］
前記プロセッサは、前記装置がアンカーノードからタイミング情報を受信したかどうかを決定するようにさらに構成され、前記受信機が前記アンカーノードからタイミング情報を受信していないとき、前記１つまたは複数の受信された同期メッセージの前記タイミング情報の最大の時間値へと、前記時間値を更新することによって、前記時間値を選択的に更新するようにさらに構成される、
Ｃ１４に記載の装置。
［Ｃ２５］
ワイヤレスネットワークの同期のために構成されるワイヤレス通信装置であって、
１つまたは複数の同期メッセージを受信するための手段、各同期メッセージは、タイミング情報とクラスタ識別子とを有し、前記タイミング情報は、アンカータイミング情報を備え、前記クラスタ識別子は、前記装置のクラスタ識別子と同じ値である、と、
受信された同期メッセージが最後にアンカータイミング情報を受信した時間値と、前記装置のために保持されている時間値との間の差が、閾値より大きいかどうかを決定するための手段と、
前記差が前記閾値を超える場合、前記受信された同期メッセージを廃棄するための手段と
を備える、ワイヤレス通信装置。
［Ｃ２６］
前記受信された１つまたは複数の同期メッセージ中の前記タイミング情報に基づいて、前記ワイヤレス装置の時間値を選択的に更新するための手段をさらに備える、
Ｃ２５に記載の装置。
［Ｃ２７］
選択的に更新するための手段は、
受信された同期メッセージの前記タイミング情報中の時間値と、前記装置によって保持されている時間との間の差が、閾値より大きいかどうかを決定し、
前記差が前記閾値を超える場合、前記受信された同期メッセージを廃棄する
ことによって、前記時間値を選択的に更新するように構成される、
Ｃ２６に記載の装置。
［Ｃ２８］
選択的に更新するための手段は、
受信された同期メッセージの前記タイミング情報中の時間値と、他の１つまたは複数の受信された同期メッセージの前記タイミング情報中の平均の時間値との間の差が、閾値より大きいかどうかを決定し、
前記差が前記閾値を超える場合、前記受信された同期メッセージを廃棄する
ことによって、前記時間値を選択的に更新するように構成される、
Ｃ２６に記載の装置。
［Ｃ２９］
選択的に更新するための手段は、２つ以上の受信された同期メッセージが同じマスター優先値を有するとき、他の１つまたは複数の受信された同期メッセージのマスター優先値よりも大きなマスター優先値を伴う受信された同期メッセージの時間値へと、前記時間値を更新することによって、前記時間値を選択的に更新するように構成される、
Ｃ２６に記載の装置。
［Ｃ３０］
選択的に更新するための手段は、前記１つまたは複数の受信された同期メッセージのデバイス識別子に基づいて前記時間値を更新することによって、前記時間値を選択的に更新するように構成される、
Ｃ２９に記載の装置。
［Ｃ３１］
前記デバイス識別子は、媒体アクセス制御アドレスを備える、Ｃ３０に記載の装置。
［Ｃ３２］
選択的に更新するための手段は、２つ以上の受信された同期メッセージが同じマスター優先値を有するとき、前記他の１つまたは複数の受信された同期メッセージの時間値よりも大きな時間値を伴う受信された同期メッセージの時間値へと、前記時間値を更新することによって、前記時間値を選択的に更新するように構成される、
Ｃ２９に記載の装置。
［Ｃ３３］
選択的に更新するための手段は、前記１つまたは複数の受信された同期メッセージの前記タイミング情報の最大の時間値へと、前記時間値を更新することによって、前記時間値を選択的に更新するように構成される、
Ｃ２６に記載の装置。
［Ｃ３４］
選択的に更新するための手段は、前記１つまたは複数の受信された同期メッセージの前記タイミング情報の平均の時間値、最小の時間値、または時間値の中央値の１つへと、前記時間値を更新することによって、前記時間値を選択的に更新するように構成される、
Ｃ２６に記載の装置。
［Ｃ３５］
前記装置の前記時間値を選択的に更新するための手段は、最新のアンカータイミング情報を伴う前記１つまたは複数の受信された同期メッセージのうちの１つの受信された同期メッセージの前記タイミング情報中の時間値へと、前記時間値を更新するための手段を備える、
Ｃ２６に記載の装置。
［Ｃ３６］
前記装置がアンカーノードからタイミング情報を受信したかどうかを決定するための手段をさらに備え、選択的に更新するための手段は、前記装置が前記アンカーノードからタイミング情報を受信していないとき、前記１つまたは複数の受信された同期メッセージの前記タイミング情報の最大の時間値へと、前記時間値を更新することによって、前記時間値を選択的に更新するように構成される、
Ｃ２６に記載の装置。
［Ｃ３７］
実行されると、ワイヤレス通信装置のプロセッサに、
１つまたは複数の同期メッセージを受信すること、各同期メッセージは、タイミング情報とクラスタ識別子とを有し、前記タイミング情報は、アンカータイミング情報を備え、前記クラスタ識別子は、前記装置のクラスタ識別子と同じ値である、と、
受信された同期メッセージが最後にアンカータイミング情報を受信した時間値と、前記装置のために保持されている時間値との間の差が、閾値より大きいかどうかを決定することと、
前記差が前記閾値を超える場合、前記受信された同期メッセージを廃棄することと
を行わせるコードを備える、非一時的コンピュータ可読媒体。
［Ｃ３８］
実行されると、ワイヤレス通信装置のプロセッサに、前記受信された１つまたは複数の同期メッセージ中の前記タイミング情報に基づいて、前記ワイヤレス装置の時間値を選択的に更新することを行わせるコードをさらに備える、
Ｃ３７に記載の媒体。
［Ｃ３９］
前記プロセッサは、
受信された同期メッセージの前記タイミング情報中の時間値と、前記装置によって保持されている時間との間の差が、閾値より大きいかどうかを決定し、
前記差が前記閾値を超える場合、前記受信された同期メッセージを廃棄する
ことによって、前記時間値を選択的に更新するように構成される、
Ｃ３８に記載の媒体。
［Ｃ４０］
前記プロセッサは、
受信された同期メッセージの前記タイミング情報中の時間値と、他の１つまたは複数の受信された同期メッセージの前記タイミング情報中の平均の時間値との間の差が、閾値より大きいかどうかを決定し、
前記差が前記閾値を超える場合、前記受信された同期メッセージを廃棄する
ことによって、前記時間値を選択的に更新するように構成される、
Ｃ３８に記載の媒体。
［Ｃ４１］
前記プロセッサは、２つ以上の受信された同期メッセージが同じマスター優先値を有するとき、他の１つまたは複数の受信された同期メッセージのマスター優先値よりも大きなマスター優先値を伴う受信された同期メッセージの時間値へと、前記時間値を更新することによって、前記時間値を選択的に更新するように構成される、
Ｃ３８に記載の媒体。
［Ｃ４２］
前記プロセッサは、前記１つまたは複数の受信された同期メッセージのデバイス識別子に基づいて前記時間値を更新することによって、前記時間値を選択的に更新するように構成される、
Ｃ４１に記載の媒体。
［Ｃ４３］
前記デバイス識別子は、媒体アクセス制御アドレスを備える、
Ｃ４２に記載の媒体。
［Ｃ４４］
前記プロセッサは、２つ以上の受信された同期メッセージが同じマスター優先値を有するとき、前記他の１つまたは複数の受信された同期メッセージの時間値よりも大きな時間値を伴う受信された同期メッセージの時間値へと、前記時間値を更新することによって、前記時間値を選択的に更新するように構成される、
Ｃ４１に記載の媒体。
［Ｃ４５］
前記プロセッサは、前記１つまたは複数の受信された同期メッセージの前記タイミング情報の最大の時間値へと、前記時間値を更新することによって、前記時間値を選択的に更新するように構成される、
Ｃ３８に記載の媒体。
［Ｃ４６］
前記プロセッサは、前記１つまたは複数の受信された同期メッセージの前記タイミング情報の平均の時間値、最小の時間値、または時間値の中央値の１つへと、前記時間値を更新することによって、前記時間値を選択的に更新するように構成される、
Ｃ３８に記載の媒体。
［Ｃ４７］
前記プロセッサは、最新のアンカータイミング情報を伴う前記１つまたは複数の受信された同期メッセージのうちの１つの受信された同期メッセージの前記タイミング情報中の時間値へと、前記時間値を更新することによって、前記時間値を選択的に更新するように構成される、
Ｃ３８に記載の媒体。
［Ｃ４８］
実行されると、ワイヤレス通信装置のプロセッサに、前記装置がアンカーノードからタイミング情報を受信したかどうかを決定することを行わせるコードをさらに備え、前記プロセッサは、前記装置が前記アンカーノードからタイミング情報を受信していないとき、前記１つまたは複数の受信された同期メッセージの前記タイミング情報の最大の時間値へと、前記時間値を更新することによって、前記時間値を選択的に更新するように構成される、
Ｃ３８に記載の媒体。